(57)【特許請求の範囲】
【請求項１】
シート体を搬送経路に沿って給紙口から排紙口へと搬送する搬送手段と、
前記搬送経路における給紙口から排紙口までの所定の中間地点において、前記シート体に対して処理を施す処理手段と、
前記所定の中間地点より搬送経路上流において、前記シート体の有無を検知する上流側検知手段と、
前記所定の中間地点より搬送経路下流において、前記シート体の有無を検知する下流側検知手段とを備えるシート体搬送装置であって、
前記上流側検知手段からの有検知信号に基づいて、前記搬送手段を制御することにより、前記シート体前端を前記所定の中間地点付近まで移動させる給紙制御手段と、
前記給紙制御手段により前記シート体が移動させられた後さらに移動し、前記下流側検知手段より有検知信号を受信した以後、前記上流側検知手段からの無検知信号に基づいて、このシート体後端の通過地点を特定する搬送状態監視手段とを有することを特徴とするシート体搬送装置。
【請求項２】
前記搬送状態監視手段により前記シート体後端の通過地点が特定された後、前記搬送手段を制御することにより、このシート体後端を前記排紙口へと移動させる排紙制御手段を有している、請求項１に記載のシート体搬送装置。
【請求項３】
前記搬送手段は、前記給紙口付近に配置される給紙ローラと、前記排紙口付近に配置される排紙ローラとを備えている、請求項１または請求項２に記載のシート体搬送装置。
【請求項４】
前記上流側検知手段および前記下流側検知手段は、前記シート体への当接状態に応じて検知信号を出力するアクチュエータ方式のセンサである、請求項１ないし請求項３のいずれかに記載のシート体搬送装置。
【請求項５】
前記処理手段は、前記シート体に対して画像の記録処理を行う記録手段である、請求項１ないし請求項４のいずれかに記載のシート体搬送装置。
【請求項６】
前記処理手段は、前記シート体に対して画像の読取処理を行う読取手段である、請求項１ないし請求項４のいずれかに記載のシート体搬送装置。
【発明の詳細な説明】
【０００１】
【発明の属する技術分野】
本発明は、搬送経路上のシート体に対して記録処理や読取処理を行いつつ、このシート体の搬送状態を監視しながら給紙および排紙を行うシート体搬送装置に関する。
【０００２】
【従来の技術】
従来、この種のシート体搬送装置は、記録用紙に対して画像を記録する画像記録装置や、読取原稿から画像を読み取る画像読取装置に内蔵されており、一例として、転写方式により記録用紙に対して画像を記録しながら搬送するものが知られている。
【０００３】
このようなシート体搬送装置は、給紙ローラから排紙ローラへと記録用紙が搬送される搬送経路の所定の中間地点に、記録用紙に対して転写紙を密着させるプラテンローラや記録ヘッドなどを備えている。また、上記中間地点より搬送経路上流には、上流地点における記録用紙の有無を検知する上流側センサが配置されているとともに、その中間地点より搬送経路下流には、下流地点における記録用紙の有無を検知する下流側センサが配置されており、一般的にこの種のセンサは、記録用紙への当接状態に応じて検知信号を出力するアクチュエータ方式で構成されている。
【０００４】
このシート体搬送装置では、給紙ローラに引き込まれた記録用紙の前端が上流側センサに当接して検知されると、給紙ローラが所定量だけ回転することにより、記録用紙の前端がプラテンローラと記録ヘッドとの間の位置付近まで移動させられ、この給紙動作完了後、記録用紙は、ステップ移動しつつ記録ヘッドより画像を記録される。一方、中間地点を通過した記録用紙は、その前端が下流側センサに当接した後、しわ折れなどによって非当接状態となった場合、この下流側センサにより搬送状態に異常があることが検知される。そして、給紙動作の完了以後、記録用紙の後端が上流側センサにより通過したことを検知されると、その後記録用紙は、ステップ移動する状態が連続移動とされて排紙ローラへと排紙される。
【０００５】
【発明が解決しようとする課題】
しかし、上記従来のシート体搬送装置では、給紙動作の完了以後、上流側センサは、下流側センサの検知状態如何にかかわらず、記録用紙後端の通過を検知しているので、記録用紙の前端が中間地点で紙詰まりを起こし、搬送経路上流におけるしわ折れなどの発生によって、上流センサが記録用紙に対して非当接状態となっても、記録用紙の後端が上流地点を通過したとしてこの上流側センサにより誤検知されてしまうという課題があった。
【０００６】
そこで、本発明は、上記の点に鑑みて提案されたものであって、搬送経路上流におけるシート体の通過状態の誤検知を防止したシート体搬送装置を提供することを目的とする。
【０００７】
【課題を解決するための手段】
上記目的を達成するため、請求項１に記載した発明のシート体搬送装置は、シート体を搬送経路に沿って給紙口から排紙口へと搬送する搬送手段と、前記搬送経路における給紙口から排紙口までの所定の中間地点において、前記シート体に対して処理を施す処理手段と、前記所定の中間地点より搬送経路上流において、前記シート体の有無を検知する上流側検知手段と、前記所定の中間地点より搬送経路下流において、前記シート体の有無を検知する下流側検知手段とを備えるシート体搬送装置であって、前記上流側検知手段からの有検知信号に基づいて、前記搬送手段を制御することにより、前記シート体前端を前記所定の中間地点付近まで移動させる給紙制御手段と、前記給紙制御手段により前記シート体が移動させられた後さらに移動し、前記下流側検知手段より有検知信号を受信した以後、前記上流側検知手段からの無検知信号に基づいて、このシート体後端の通過地点を特定する搬送状態監視手段とを有している。
【０００８】
このシート体搬送装置によれば、下流側検知手段より有検知信号を受信した以後、上流側検知手段からの無検知信号に基づいて、シート体後端の通過地点が特定されるので、下流側検知手段より有検知信号を受信した以後は、シート体が確実に中間地点を通過した状態にあり、一方、下流側検知手段より有検知信号を受信する以前に、搬送経路上流における搬送状態の不具合発生などにより、上流側検知手段がシート体の無いことを検知しても、シート体後端の通過地点が特定されないことから、搬送経路上流におけるシート体の通過状態の誤検知を防止することができる。
【０００９】
また、請求項２に記載した発明のシート体搬送装置は、請求項１に記載のシート体搬送装置であって、前記搬送状態監視手段により前記シート体後端の通過地点が特定された後、前記搬送手段を制御することにより、このシート体後端を前記排紙口へと移動させる排紙制御手段を有している。
【００１０】
このシート体搬送装置によれば、請求項１に記載のシート体搬送装置による効果に加えて、シート体後端の通過地点が特定された後、搬送手段を制御することにより、このシート体後端が排紙口へと移動させられるので、シート体の前端が中間地点を通過していないような状態では、シート体後端の通過地点が特定されされる以前であることから、このような中間地点を非通過状態にあるシート体に対する排紙動作を防止することができる。
【００１１】
さらに、請求項３に記載した発明のシート体搬送装置は、請求項１または請求項２に記載のシート体搬送装置であって、前記搬送手段は、前記給紙口付近に配置される給紙ローラと、前記排紙口付近に配置される排紙ローラとを備えている。
【００１２】
このシート体搬送装置によれば、請求項１または請求項２に記載のシート体搬送装置による効果に加えて、シート体は、給紙ローラおよび排紙ローラにより搬送経路に沿って給紙口から排紙口へと搬送されるので、このシート体の前後端にわたって給紙ローラおよび排紙ローラに巻き込みつつ、確実にシート体を搬送経路に沿って搬送することができる。
【００１３】
また、請求項４に記載した発明のシート体搬送装置は、請求項１ないし請求項３のいずれかに記載のシート体搬送装置であって、前記上流側検知手段および前記下流側検知手段は、前記シート体への当接状態に応じて検知信号を出力するアクチュエータ方式のセンサである。
【００１４】
このシート体搬送装置によれば、請求項１ないし請求項３のいずれかに記載のシート体搬送装置による効果に加えて、上流側検知手段および下流側検知手段は、シート体への当接状態に応じて検知信号を出力するアクチュエータ方式のセンサであるので、搬送経路上流および下流におけるシート体の有無をセンサに対する当接状態によって的確に検知することができる。
【００１５】
さらに、請求項５に記載した発明のシート体搬送装置は、請求項１ないし請求項４のいずれかに記載のシート体搬送装置であって、前記処理手段は、前記シート体に対して画像の記録処理を行う記録手段である。
【００１６】
このシート体搬送装置によれば、請求項１ないし請求項４のいずれかに記載のシート体搬送装置による効果に加えて、搬送経路の所定の中間地点において、シート体に対して画像の記録処理が行われるので、このような画像の記録処理に際して搬送される記録用紙に対して有効に利用することができる。
【００１７】
また、請求項６に記載した発明のシート体搬送装置は、請求項１ないし請求項４のいずれかに記載のシート体搬送装置であって、前記処理手段は、前記シート体に対して画像の読取処理を行う読取手段である。
【００１８】
このシート体搬送装置によれば、請求項１ないし請求項４のいずれかに記載のシート体搬送装置による効果に加えて、搬送経路の所定の中間地点において、シート体に対して画像の読取処理が行われるので、このような画像の読取処理に際して搬送される読取原稿に対して有効に利用することができる。
【００１９】
【発明の実施の形態】
以下、本発明の好ましい実施の形態を、図面を参照しつつ具体的に説明する。
【００２０】
図１は、本発明にかかるシート体搬送装置を示した側面断面図であり、シート体搬送装置は、シート体となる記録用紙１を収容しておく給紙部２、給紙部２の記録用紙１を給紙口２ａから搬送経路に引き込む給紙ローラ３、搬送経路に沿って移動されてきた記録用紙１を排紙口４ａから排紙部４に送り出す排紙ローラ５、搬送経路における給紙ローラ３と排紙ローラ５との間の中間地点に配置される記録処理部６、記録処理部６に転写紙７を送り込む転送ローラ８、給紙ローラ３から記録処理部６にかけての搬送経路上流において記録用紙１の有無を検知する上流側センサ９、記録処理部６から排紙ローラ５にかけての搬送経路下流において記録用紙１の有無を検知する下流側センサ１０、および後述する制御部を概略備えている。なお、このシート体搬送装置は、ファクシミリ装置に内蔵されるものとし、特にファクシミリ装置における画像記録に適用されるものとして説明する。
【００２１】
給紙ローラ３は、図示しないステッピングモータの駆動に応じて回転し、その回転量を後述の制御部によって制御され、給紙部２の記録用紙１をガイド板３ａに押しつけるような姿勢で給紙口２ａから引き込むとともに、引き込んだ記録用紙１を搬送経路に沿って下流側へと送り出す。
【００２２】
排紙ローラ５は、図示しないステッピングモータの駆動に応じて回転し、その回転量を後述の制御部によって制御され、搬送経路上流から記録処理部６を経由して移動してきた記録用紙１を２個のローラ間に挟み込むような姿勢でつかみ取るとともに、つかみ取った記録用紙１を排紙口４ａから排紙部４に向けて送り出す。
【００２３】
記録処理部６は、プラテンローラ６ａと記録ヘッド６ｂとの間に、搬送経路に沿って給紙ローラ３より送り出されてきた記録用紙１と、転送ローラ８により転送される転写紙７とを挟み込むとともに、挟み込んだ部分に記録ヘッド６ｂから熱を加えて転写を行う。このような熱転写方式により、転写紙７の表面に形成されたインク層が溶け、溶けたインクが記録用紙１上に写し取られて画像が記録されることとなる。なお、プラテンローラ６ａは、上記給紙ローラ３などと同様に、図示しないステッピングモータの駆動に応じて回転するように構成されている。また、転送ローラ８は、転写紙７の送り出しと巻き取り用に２個のローラで構成されている。
【００２４】
上流側センサ９は、アクチュエータ方式のセンシングデバイスで構成されており、記録用紙１の接触、非接触に応じてそれぞれ有検知信号および無検知信号を後述の制御部に出力する。具体的には、給紙ローラ３から搬送経路に沿って移動してきた記録用紙１の前端が上流側センサ９に当接すると、この上流側センサ９が搬送方向に回動し（仮想線で示される姿勢）、記録用紙１の通過を検知して有検知信号を出力する。一方、記録用紙１の後端が通過して非接触状態となると、上流側センサ９からは無検知信号が出力される。
【００２５】
下流側センサ１０は、上記上流側センサ９と同様にアクチュエータ方式のセンシングデバイスで構成されており、記録用紙１の接触、非接触に応じてそれぞれ有検知信号および無検知信号を後述の制御部に出力する。具体的には、記録処理部６から搬送経路に沿って移動してきた記録用紙１の前端が下流側センサ１０に当接すると、この下流側センサ１０が搬送方向に回動し（仮想線で示される姿勢）、記録用紙１の通過を検知して有検知信号を出力する。一方、記録用紙１の後端が通過して非接触状態となると、下流側センサ１０からは無検知信号が出力される。
【００２６】
さらに、図２は、図１に示すシート体搬送装置を内蔵したファクシミリ装置の制御部を示したブロック図であり、この制御部は、ＣＰＵ２１、ＮＣＵ２２、ＲＡＭ２３、モデム２４、ＲＯＭ２５、ＥＥＰＲＯＭ２６、ゲートアレイ２７、コーデック２８、およびＤＭＡＣ２９を備えている。ＣＰＵ２１、ＮＣＵ２２、ＲＡＭ２３、モデム２４、ＲＯＭ２５、ＥＥＰＲＯＭ２６、ゲートアレイ２７、コーデック２８、およびＤＭＡＣ２９は、バス線により相互に接続されている。バス線には、アドレスバス、データバス、および制御信号線が含まれる。ゲートアレイ２７には、読取部３１、記録部３２、操作部３３、および表示部３４が接続されている。ＮＣＵ２２には、通信回線の一例としての電話回線４１が接続されている。
【００２７】
ＣＰＵ２１は、シート体搬送装置を含むファクシミリ装置全体を制御する。ＮＣＵ２２は、電話回線４１に接続されて網制御を行う。ＲＡＭ２３は、各種のデータを記憶する。モデム２４は、送受信データの変復調などを行う。ＲＯＭ２５は、各種のプログラムなどを記憶している。ＥＥＰＲＯＭ２６は、各種のデータやフラグなどを記憶する。ゲートアレイ２７は、ＣＰＵ２１の入出力インターフェースとして機能する。コーデック２８は、送信ファクシミリデータの符号化などを行う。ＤＭＡＣ２９は、バス線を使用してＣＰＵ２１を介さずにデータを直接転送する。読取部３１は、読取原稿の読取処理を行う。記録部３２は、上記給紙ローラ３、排紙ローラ５、記録処理部６、転送ローラ８、上流側センサ９、および下流側センサ１０を有し、これら各デバイスがＣＰＵ２１によって制御される。操作部３３は、キースイッチ群などを有し、使用者の操作に応じた信号を出力する。表示部３４は、ＣＰＵ２１に制御されて各種の表示を行う。
【００２８】
要点について説明すると、ＣＰＵ２１は、記録部３２の上流側センサ９から有検知信号を受信すると、ステッピングモータを制御しつつ給紙ローラ３を所定量だけ回転させることにより、記録用紙１の前端をプラテンローラ６ａと記録ヘッド６ｂとの間の位置付近まで移動させる。
【００２９】
この記録用紙１前端の移動が完了して給紙動作を完了したと判断すると、ＣＰＵ２１は、給紙ローラ３や排紙ローラ５に加えてプラテンローラ６ａを回転させることにより、記録用紙１をステップ移動させつつ記録処理部６において画像を記録させる。
【００３０】
一方、記録処理部６を通過した記録用紙１は、その前端が下流側センサ１０に当接した後、しわ折れなどによって非接触状態となった場合、この下流側センサ１０から無検知信号がＣＰＵ２１に対して出力され、搬送状態に異常があることが検知される。
【００３１】
そして、ＣＰＵ２１は、下流側センサ１０より有検知信号を受信した以後、上流側センサ９から無検知信号を受信した時点で、記録用紙１後端の通過地点が上流側センサ９が配置された上流地点と特定し、その後ＣＰＵ２１は、排紙ローラ５およびプラテンローラ６ａを連続回転させることにより、記録用紙１をステップ移動する状態から連続移動する状態として、その記録用紙１の後端を排紙口４ａへと移動させる。
【００３２】
すなわち、給紙ローラ３、排紙ローラ５、プラテンローラ６ａ、および図示しないステッピングモータは、シート体を搬送経路に沿って給紙口２ａから排紙口４ａへと搬送する搬送手段を実現している。
【００３３】
記録処理部６は、搬送経路における給紙口２ａから排紙口４ａまでの所定の中間地点において、シート体に対して画像の記録処理を行う記録手段を実現している。
【００３４】
上流側センサ９は、所定の中間地点より搬送経路上流において、シート体の有無を検知する上流側検知手段を実現している。
【００３５】
下流側センサ１０は、所定の中間地点より搬送経路下流において、シート体の有無を検知する下流側検知手段を実現している。
【００３６】
ＣＰＵ２１は、上流側検知手段からの有検知信号に基づいて、搬送手段を制御することにより、シート体前端を所定の中間地点付近まで移動させる給紙制御手段と、給紙制御手段によりシート体が移動させられた後さらに移動し、下流側検知手段より有検知信号を受信した以後、上流側検知手段からの無検知信号に基づいて、シート体後端の通過地点を特定する搬送状態監視手段と、搬送状態監視手段によりシート体後端の通過地点が特定された後、搬送手段を制御することにより、このシート体後端を排紙口４ａへと移動させる排紙制御手段とを実現している。
【００３７】
次に、上記構成を有するシート体搬送装置の動作の要点について、図３を参照しつつ説明する。
【００３８】
図３は、シート体搬送装置による搬送手順を示したフローチャートであり、この図に示すように、まず、記録処理が開始されると、ＣＰＵ２１は、ステッピングモータに駆動信号を出力することにより、給紙ローラ３の回転を始動させる（Ｓ１）。
【００３９】
給紙ローラ３の回転始動後、ＣＰＵ２１は、上流側センサ９から有検知信号を受信したか否かを判断する（Ｓ２）。
【００４０】
上流側センサ９から有検知信号を受信すると（Ｓ２：ＹＥＳ）、ＣＰＵ２１は、ステッピングモータを制御しつつ給紙ローラ３を所定量だけ回転させることにより、記録用紙１の前端を記録処理部６まで、具体的にはプラテンローラ６ａと記録ヘッド６ｂとの間をわずかに通過する位置まで移動させる（Ｓ３）。
【００４１】
記録用紙１の前端が記録処理部６まで移動して給紙動作が完了すると、ＣＰＵ２１は、ステッピングモータを制御しつつ給紙ローラ３、排紙ローラ５、およびプラテンローラ６ａをステップ回転させることにより、記録用紙１をステップ移動させながらこの記録処理部６によって画像の記録処理を開始させる（Ｓ４）。
【００４２】
続いて、ＣＰＵ２１は、給紙動作を完了して記録処理を開始した後、記録用紙１が一定の移動量、具体的には、記録用紙１の前端が下流側センサ１０に当接する程度移動した時点で、上流側センサ９より有検知信号を受信したか否かを判断する（Ｓ５）。
【００４３】
下流側センサ１０より有検知信号を受信した以後（Ｓ５：ＹＥＳ）、ＣＰＵ２１は、上流側センサ９から無検知信号を受信したか否かを判断する判断処理ステップを実行する（Ｓ６）。この判断処理ステップは、搬送経路の上流から下流にわたって記録用紙１が移動する最中に実行されており、下流側センサ１０より有検知信号を受信する以前においては、実行されない処理ステップである。
【００４４】
上流側センサ９より無検知信号を受信すると（Ｓ６：ＹＥＳ）、すなわちその受信時点では、上流側センサ９が配置された上流地点を記録用紙１の後端がちょうど通過中にあることから、ＣＰＵ２１は、記録用紙１後端の通過地点がその上流地点であると特定する（Ｓ７）。
【００４５】
その特定後、ＣＰＵ２１は、記録処理を完了して排紙ローラ５およびプラテンローラ６ａを連続回転させることにより、記録用紙１をステップ移動する状態から連続移動する状態にするとともに、その記録用紙１の後端を排紙口４ａへと移動させて排紙を開始させる（Ｓ８）。
【００４６】
排紙開始後、ＣＰＵ２１は、下流側センサ１０から無検知信号を受信したか否かを判断し（Ｓ９）、無検知信号を受信すると（Ｓ９：ＹＥＳ）、給紙ローラ５を所定量回転させた後、記録用紙１の後端が完全に排紙口４ａから排紙されたと判断してこの記録処理のメインルーチンを終了する。
【００４７】
Ｓ９において、下流側センサ１０から無検知信号を受信しない場合（Ｓ９：ＮＯ）、ＣＰＵ２１は、その無検知信号を受信したか否かを判断するＳ９の処理ステップを繰り返し実行する。
【００４８】
Ｓ６において、上流側センサ９より無検知信号を受信しない場合（Ｓ６：ＮＯ）、ＣＰＵ２１は、その無検知信号を受信したか否かを判断するＳ６の処理ステップを繰り返し実行する。
【００４９】
Ｓ５において、下流側センサ１０より有検知信号を受信しない場合（Ｓ５：ＮＯ）、ＣＰＵ２１は、搬送状態に異常があると判断してメッセージ表示などの異常処理を実行し（Ｓ１０）、その後異常状態が解除されると、Ｓ１のステップ処理に戻ってこのメインルーチンを再実行する。
【００５０】
Ｓ２において、上流側センサ９から有検知信号を受信しない場合（Ｓ２：ＮＯ）、ＣＰＵ２１は、その有検知信号受信したか否かを判断するＳ２の処理ステップを繰り返し実行する。
【００５１】
したがって、上記構成、動作を有するシート体搬送装置によれば、下流側センサ１０より有検知信号を受信した以後、上流側センサ９からの無検知信号に基づいて、記録用紙１後端の通過地点が特定されるので、下流側センサ１０より有検知信号を受信した以後は、記録用紙１が確実に記録処理部６を通過した状態にあり、一方、下流側センサ１０より有検知信号を受信する以前に、搬送経路上流における搬送状態の不具合発生などにより、上流側センサ９が記録用紙１の無いことを検知しても、記録用紙１後端の通過地点が特定されないことから、搬送経路上流における記録用紙１の通過状態の誤検知を防止することができる。
【００５２】
なお、上記実施形態では、本発明にかかるシート体搬送装置は、ファクシミリ装置に内蔵され画像記録に適用されるものとして説明したが、特にこれに限ることはなく、画像読取に適用して読取原稿を搬送する装置としてもよいのはいうまでもない。
【００５３】
また、シート体搬送装置をファクシミリ装置に内蔵した例について説明したが、このようなシート体搬送装置は、これ以外にも、単機能のコピー機や、パーソナルコンピュータなどのコンピュータに接続されて、コピー機能、プリンタ機能、イメージスキャナ機能、あるいはファクシミリ通信機能などの複数の機能を発揮する多機能周辺装置などにも用い得る。
【００５４】
【発明の効果】
以上説明したように、請求項１に記載した発明のシート体搬送装置によれば、下流側検知手段より有検知信号を受信した以後、上流側検知手段からの無検知信号に基づいて、シート体後端の通過地点が特定されるので、下流側検知手段より有検知信号を受信した以後は、シート体が確実に中間地点を通過した状態にあり、一方、下流側検知手段より有検知信号を受信する以前に、搬送経路上流における搬送状態の不具合発生などにより、上流側検知手段がシート体の無いことを検知しても、シート体後端の通過地点が特定されないことから、搬送経路上流におけるシート体の通過状態の誤検知を防止することができる。
【００５５】
また、請求項２に記載した発明のシート体搬送装置によれば、請求項１に記載のシート体搬送装置による効果に加えて、シート体後端の通過地点が特定された後、搬送手段を制御することにより、このシート体後端が排紙口へと移動させられるので、シート体の前端が中間地点を通過していないような状態では、シート体後端の通過地点が特定されされる以前であることから、このような中間地点を非通過状態にあるシート体に対する排紙動作を防止することができる。
【００５６】
さらに、請求項３に記載した発明のシート体搬送装置によれば、請求項１または請求項２に記載のシート体搬送装置による効果に加えて、シート体は、給紙ローラおよび排紙ローラにより搬送経路に沿って給紙口から排紙口へと搬送されるので、このシート体の前後端にわたって給紙ローラおよび排紙ローラに巻き込みつつ、確実にシート体を搬送経路に沿って搬送することができる。
【００５７】
また、請求項４に記載した発明のシート体搬送装置によれば、請求項１ないし請求項３のいずれかに記載のシート体搬送装置による効果に加えて、上流側検知手段および下流側検知手段は、シート体への当接状態に応じて検知信号を出力するアクチュエータ方式のセンサであるので、搬送経路上流および下流におけるシート体の有無をセンサに対する当接状態によって的確に検知することができる。
【００５８】
さらに、請求項５に記載した発明のシート体搬送装置によれば、請求項１ないし請求項４のいずれかに記載のシート体搬送装置による効果に加えて、搬送経路の所定の中間地点において、シート体に対して画像の記録処理が行われるので、このような画像の記録処理に際して搬送される記録用紙に対して有効に利用することができる。
【００５９】
また、請求項６に記載した発明のシート体搬送装置によれば、請求項１ないし請求項４のいずれかに記載のシート体搬送装置による効果に加えて、搬送経路の所定の中間地点において、シート体に対して画像の読取処理が行われるので、このような画像の読取処理に際して搬送される読取原稿に対して有効に利用することができる。
【図面の簡単な説明】
【図１】本発明にかかるシート体搬送装置を示した側面断面図である。
【図２】図１に示すシート体搬送装置を内蔵したファクシミリ装置の制御部を示したブロック図である。
【図３】シート体搬送装置による搬送手順を示したフローチャートである。
【符号の説明】
１  記録用紙
２ａ  給紙口
３  給紙ローラ
４ａ  排紙口
５  排紙ローラ
６  記録処理部
９  上流側センサ
１０  下流側センサ
２１  ＣＰＵ
２３  ＲＡＭ
２５  ＲＯＭ
【図１】
0003845956.tif 000002
【図２】
0003845956.tif 000003
【図３】
0003845956.tif 000004